(57)【要約】【課題】  温度変化によってハンマーホルダにストレスが加わったり、ハンマーホルダとハンマー本体との間に隙間が生じたりするのを防ぐ。【解決手段】  鍵盤シャーシ１の支持軸２８が回転自在に挿入する軸受部３０と、この軸受部３０が一体に形成されてハンマー本体２０に着脱可能に装着する装着部３１と、ハンマー本体２０の長手方向に沿う側面に係脱可能に係止されて装着部３１を位置規制する位置規制部３２と、ハンマー本体２０の当接面３３に弾接した状態で弾性変形する弾性部３４とで、ハンマーホルダ２１を構成した。従って、ハンマー３を金属製のハンマー本体２０と合成樹脂製のハンマーホルダ２１とで構成し、それぞれ線膨張係数が異なっていても、両者の膨張率の差を弾性部３４の弾性変形によって吸収することができる。これにより、温度変化によるハンマーホルダへのストレス、およびハンマーホルダとハンマー本体との間の隙間の発生を防ぐことができる。【選択図】        図３
2006003495.tif 000002
【特許請求の範囲】
【請求項１】
鍵盤シャーシと、この鍵盤シャーシ上に上下方向に回動可能に配置された複数の鍵と、これら複数の鍵それぞれに対応して配置され、前記鍵の押鍵操作に伴って回動変位して前記鍵にアクション荷重を付与するハンマーとを備えた鍵盤装置において、
前記ハンマーは、金属製のハンマー本体と合成樹脂製のハンマーホルダとを有し、
前記ハンマーホルダは、前記鍵盤シャーシに設けられた支持軸が回動自在に挿入する軸受部と、この軸受部が一体に形成されて前記ハンマー本体に着脱可能に装着する装着部と、前記ハンマー本体の長手方向に沿う面に係脱可能に係止されて前記装着部を位置規制する位置規制部と、前記ハンマー本体に弾接した状態で弾性変形する弾性部とを有することを特徴とする鍵盤装置。
【請求項２】
前記弾性部は前記軸受部に中空部を有して形成されており、その外周面には前記ハンマー本体に弾接する弾接突起が形成されていることを特徴とする請求項１に記載の鍵盤装置。
【請求項３】
前記弾性部には、前記ハンマー本体をその厚み方向に挟む一対の挟持突起が形成されていることを特徴とする請求項２に記載の鍵盤装置。
【請求項４】
前記位置規制部は、前記装着部に弾性変形可能に形成された舌状の係合部と、前記ハンマー本体に設けられた係止部とを有し、前記係合部が前記係止部に係脱可能に弾力的に係合することを特徴とする請求項１〜３のいずれかに記載の鍵盤装置。
【発明の詳細な説明】
【技術分野】
【０００１】
この発明は、電子ピアノなどの電子鍵盤楽器に用いられる鍵盤装置に関する。
【背景技術】
【０００２】
従来、電子ピアノなどの鍵盤楽器においては、アコースティックピアノの鍵タッチ感に近似した鍵タッチ感を得るために、鍵の下側にハンマーを上下方向に回動可能に設け、鍵の押鍵操作に伴ってハンマーがその重量に抗して回動することにより、鍵に所定のアクション荷重を付与するように構成したものがある。
【特許文献１】特開平１０−２５４４３２号公報
【０００３】
この種の鍵盤楽器は、ハンマーが金属製のハンマー本体と合成樹脂製のハンマーホルダとで構成され、ハンマーホルダがハンマー本体に着脱可能に取り付けられ、この状態でハンマーホルダに設けられた回動支持部が鍵盤シャーシのハンマー支持部に回動可能に取り付けられるように構成されている。この場合、ハンマーホルダには、弾性変形可能な係合部が形成されており、ハンマー本体には、ハンマーホルダの係合部が係脱可能に係合する係止部が形成されている。
【０００４】
これにより、ハンマーは、ハンマーホルダをハンマー本体に取り付けるときに、ハンマーホルダの係合部がハンマー本体の係止部に係脱可能に弾力的に係合することにより、ハンマーホルダがハンマー本体に対して位置規制され、ハンマーホルダがハンマー本体から勝手に外れないように構成されている。
【発明の開示】
【発明が解決しようとする課題】
【０００５】
このような従来の鍵盤楽器では、ハンマーホルダをハンマー本体に装着したときに、ハンマーホルダの係合部がハンマー本体の係止部に係合し、これによりハンマーホルダがハンマー本体に位置規制されて勝手に外れないように取り付けられるが、ハンマーが金属製のハンマー本体と合成樹脂製のハンマーホルダとで構成されているため、両者の線膨張係数がそれぞれ異なる。
【０００６】
すなわち、金属製のハンマー本体は、一般的に、合成樹脂製のハンマーホルダよりも、線膨張係数が大きいため、周囲の温度が低いと、ハンマー本体とハンマーホルダとの膨張率の差によって、合成樹脂製のハンマーホルダにストレスが加わり、ハンマーホルダにクラックが生じる。逆に、周囲の温度が高いと、ハンマーホルダとハンマー本体との間に隙間が生じ、ガタツキや異音を発生する原因になるなどの問題がある。
【０００７】
この発明が解決しようとする課題は、周囲の温度変化によってハンマーホルダにストレスが加わったり、ハンマーホルダとハンマー本体との間に隙間が生じたりするのを防ぐことができる鍵盤装置を提供することである。
【課題を解決するための手段】
【０００８】
この発明は、上記課題を解決するために、次のような構成要素を備えている。
なお、各構成要素には、後述する実施形態の項で説明される各要素に付されている図面の参照番号などを括弧と共に付す。
【０００９】
請求項１に記載の発明は、図１〜図７に示すように、鍵盤シャーシ（１）と、この鍵盤シャーシ上に上下方向に回動可能に配置された複数の鍵（２）と、これら複数の鍵それぞれに対応して配置され、前記鍵の押鍵操作に伴って回動変位して前記鍵にアクション荷重を付与するハンマー（３）とを備えた鍵盤装置において、前記ハンマーは、金属製のハンマー本体（２０）と合成樹脂製のハンマーホルダ（２１）とを有し、前記ハンマーホルダは、前記鍵盤シャーシに設けられた支持軸が回動自在に挿入する軸受部（３０）と、この軸受部が一体に形成されて前記ハンマー本体に着脱可能に装着する装着部（３１）と、前記ハンマー本体の長手方向に沿う面に係脱可能に係止されて前記装着部を位置規制する位置規制部（３２）と、前記ハンマー本体に弾接した状態で弾性変形する弾性部（３４）とを有することを特徴とする鍵盤装置である。
【００１０】
請求項２に記載の発明は、図１〜図７に示すように、前記弾性部（３４）が前記軸受部（３０）に中空部（３７）を有して形成されており、その外周面には前記ハンマー本体（２０）に弾接する弾接突起（３８）が形成されていることを特徴とする請求項１に記載の鍵盤装置である。
【００１１】
請求項３に記載の発明は、図７に示すように、前記弾性部（３４）には前記ハンマー本体（２０）をその厚み方向に挟む一対の挟持突起（４１）が形成されていることを特徴とする請求項２に記載の鍵盤装置である。
【００１２】
請求項４に記載の発明は、図１〜図６に示すように、前記位置規制部（３２）が、前記装着部（３１）に弾性変形可能に形成された舌状の係合部（３５、４０）と、前記ハンマー本体（２０）に設けられた係止部（係止孔３６）とを有し、前記係合部が前記係止部に係脱可能に弾力的に係合することを特徴とする請求項１〜３のいずれかに記載の鍵盤装置である。
【発明の効果】
【００１３】
請求項１に記載の発明によれば、ハンマーホルダを、鍵盤シャーシに設けられた支持軸が回動自在に挿入する軸受部と、この軸受部が一体に形成されてハンマー本体に着脱可能に装着する装着部と、ハンマー本体の長手方向に沿う面に係脱可能に係止されて装着部を位置規制する位置規制部と、ハンマー本体に弾接した状態で弾性変形する弾性部とで構成したので、ハンマーが金属製のハンマー本体と合成樹脂製のハンマーホルダとで構成され、それぞれ線膨張係数が異なっていても、ハンマー本体とハンマーホルダとの膨張率の差をハンマーホルダの弾性部の弾性変形によって吸収することができ、これにより周囲の温度変化によってハンマーホルダにストレスが加わることがなく、しかもハンマーホルダとハンマー本体との間に隙間が生じないようにすることができる。
【００１４】
請求項２に記載の発明によれば、弾性部が軸受部に中空部を有して形成されており、その外周面にはハンマー本体に弾接する弾接突起が形成されていることにより、ハンマー本体とハンマーホルダとの膨張率の差を中空部が形成された弾性部によって確実に吸収することができると共に、ハンマー本体とハンマーホルダとに膨張率の差が生じても、弾性部の弾接突起が常にハンマー本体に部分的に当接するので、弾性部がハンマー本体に面接触する場合よりも、ハンマー本体とハンマーホルダとのガタツキや異音の発生を確実に防ぐことができ、これにより良好に演奏することができる。
【００１５】
請求項３に記載の発明によれば、弾性部にはハンマー本体をその厚み方向に挟む一対の挟持突起が形成されていることにより、請求項２に記載の発明と同様の効果があるほか、特にハンマーホルダの弾性部によってハンマー本体が横振れしやすくても、弾性部に形成された一対の挟持突起によってハンマーホルダの弾性部におけるハンマー本体の横振れに対するガタツキをも防ぐことができ、これにより、より一層、良好に演奏することができる。
【００１６】
請求項４に記載の発明によれば、位置規制部が、装着部に弾性変形可能に形成された舌状の係合部と、ハンマー本体に設けられた係止部とを有し、係合部が係止部に係脱可能に弾力的に係合することにより、ハンマー本体の回動方向に対し直交する方向におけるハンマーホルダとハンマー本体とのガタツキ、またはハンマー本体の長手方向に沿う方向におけるハンマーホルダとハンマー本体とのガタツキを防ぐことができ、これによっても良好に演奏することができる。
【発明を実施するための最良の形態】
【００１７】
以下、図１〜図５を参照して、この発明の鍵盤装置の実施形態について説明する。
この鍵盤装置は、図１に示すように、合成樹脂製の鍵盤シャーシ１と、この鍵盤シャーシ１上に上下方向に回動可能に設けられた合成樹脂製の複数の鍵（白鍵と黒鍵、ただしこの実施形態では白鍵について説明する。）２と、これら複数の鍵２にそれぞれアクション荷重を付与する複数のハンマー３と、各鍵２の押鍵動作に応じてそれぞれオン信号を出力するゴムスイッチ４とを備えている。
【００１８】
鍵盤シャーシ１は、図１に示すように、楽器本体の内部に配置されるものであり、その底部には底板部５が設けられている。この鍵盤シャーシ１の前端部（図１では右端部）には、鍵２の前端部に対応する前カバー部６が底部側から鍵盤シャーシ１の上方に突出して形成されている。この前カバー部６の後部における中段部７上には、鍵２の横振れを防ぐための鍵ガイド８が上方に突出して設けられている。
【００１９】
また、鍵盤シャーシ１の中間部における前部側には、図１に示すように、立上り部１０が前カバー部６と中段部７とのほぼ中間の高さに形成されており、この立上り部１０の上端部から鍵盤シャーシ１の後端部に亘って載置部１１がほぼ水平方向に沿って形成されている。この載置部１１の中間部における上面には、スイッチ基板１２が取り付けられており、このスイッチ基板１２上には、後述するゴムスイッチ４が設けられている。また、この載置部１１の後端部（図１では左端部）における上面には、鍵支持部１３が形成されており、この鍵支持部１３には、鍵２の後端部を回動可能に支持するための鍵支持軸１４が設けられている。
【００２０】
鍵２は、図１に示すように、その後端部（同図では左端部）の両側面に鍵取付孔部１５が形成され、この鍵取付孔部１５が鍵盤シャーシ１の鍵支持部１３の鍵支持軸１４に回動可能に取り付けられ、これにより鍵支持軸１４を中心に上下方向に回動するように構成されている。この鍵２の中間部における後部側には、スイッチ押圧部１６が鍵盤シャーシ１上に設けられたスイッチ基板１２のゴムスイッチ４に対応して形成されており、このスイッチ押圧部１６の前部側には、ハンマー３の先端部（同図では右端部）に形成された後述するハンマー当接部２６を連結保持するハンマー連結部１７が鍵盤シャーシ１の立上り部１０に沿って下方に延出されて形成されている。
【００２１】
この場合、ゴムスイッチ４は、図１に示すように、スイッチ基板１２の上面に配置されたゴムシートを備え、このゴムシートにドーム状の膨出部が各鍵２のスイッチ押圧部１６にそれぞれ対応して形成され、この膨出部内に高さの異なる一対の可動接点が設けられ、この一対の可動接点がスイッチ基板１２上の一対の固定接点に接離可能にそれぞれ離間対向した構成になっている。これにより、ゴムスイッチ４は、押鍵動作に応じて鍵２のスイッチ押圧部１６によって膨出部が押圧されたときに、膨出部が弾性変形して一対の可動接点が一対の固定接点に時間差をもって順次接触することにより、鍵タッチの強さに応じたオン信号を出力するように構成されている。
【００２２】
一方、ハンマー３は、図１に示すように、金属製のハンマー本体２０と合成樹脂製のハンマーホルダ２１とを有し、このハンマーホルダ２１がハンマー本体２０のほぼ中間部に取り付けられ、この状態でハンマーホルダ２１が鍵盤シャーシ１の載置部１１における前側下面に設けられたハンマー支持部２２に回動自在に保持されるように構成されている。この場合、ハンマー本体２０の後端部（図１では左端部）には、錘部２３が設けられている。
【００２３】
これにより、ハンマー本体２０は、錘部２３の重量によって図１において反時計回りに付勢されて、錘部２３の後端部が鍵盤シャーシ１の底板部５上に配置されたフェルトなどの下限ストッパ２４に当接することにより、ハンマー本体２０の下限位置が規制されるように構成されている。また、このハンマー本体２０は、錘部２３の重量に抗して時計回り回動したときに、鍵盤シャーシ１の載置部１１における後端下面に配置されたフェルトなどの上限ストッパ部２５に当接し、これによりハンマー本体２０の上限位置が規制されにるように構成されている。
【００２４】
また、このハンマー本体２０は、図１に示すように、その前端部（図１では右端部）が鍵盤シャーシ１の立上り部１０に設けられた開口部１０ａを通して立上り部１０の前方に突出し、この突出した先端部にハンマー当接部２６が設けられ、このハンマー当接部２６が鍵２のハンマー連結部１７に保持され、これによりハンマー本体２０が鍵２の押鍵動作に連動するように構成されている。すなわち、このハンマー当接部２６は、図１および図２に示すように、合成樹脂によってほぼ球状に形成され、その表面にグリスを溜めるためのディンプル状の凹部２６ａが多数設けられた構成になっている。
【００２５】
このハンマー当接部２６を保持する鍵２のハンマー連結部１７は、図１および図２に示すように、その下部に筒部２７が前後方向にほぼ水平に形成されている。この筒部２７は、その断面形状がハンマー当接部２６の断面形状と同じ円形の円筒状に形成され、これによりハンマー当接部２６が筒部２７の内面にリング状の線接触状態で摺動するように構成されている。なお、この筒部２７は、必ずしも円筒状である必要はなく、図示しないが、ハンマー当接部２６が内接する形状であれば、断面形状が正三角形、正四角形、正五角形などの正多角形の角筒状であっても良い。この場合には、ハンマー当接部２６が角筒状の内面に点接触するので、摩擦抵抗を小さくすることができ、これにより滑らかに摺動させることができる。
【００２６】
また、合成樹脂製のハンマーホルダ２１は、図３および図４に示すように、鍵盤シャーシ１に設けられたハンマー支持部２２の支持軸２８が挿入した状態で、この支持軸２８に回動自在に保持される軸受部３０と、この軸受部３０が一体に形成されてハンマー本体２０に着脱可能に装着する装着部３１と、ハンマー本体２０の長手方向に沿う面に係脱可能に係止されて装着部３１をハンマー本体２０に対し位置規制する位置規制部３２と、ハンマー本体２０の当接面３３に弾接してハンマー本体２０の長手方向に弾性変形する弾性部３４とで構成されている。
【００２７】
すなわち、軸受部３０は、図３および図４に示すように、全体がほぼ逆Ｃ字状の平板状に形成され、その中心にハンマー支持部２２の支持軸２８を回転自在に保持する保持孔３０ａが形成され、この保持孔３０ａから後部外周（図３では左側外周）に亘ってガイド溝３０ｂが形成された構成になっている。これにより、軸受部３０は、ハンマー支持部２２の支持軸２８がガイド溝３０ｂを通して保持孔３０ａに挿入するように構成されている。
【００２８】
装着部３１は、図３〜図５に示すように、全体がほぼコ字状に形成され、その内部に軸受部３０が一体に形成されている。すなわち、装着部３１が装着する部分におけるハンマー本体２０は、図３に示すように、後部側に開放されたほぼコ字状に形成され、このコ字状の部分に装着部３１が装着され、その内部に軸受部３０が配置されるように構成されている。この場合、装着部３１は、図３に示すように、ハンマー本体２０のコ字状部分における側面に対応してコ字状の平板状に形成された本体部３１ａを備えている。
【００２９】
この本体部３１ａの上下の各端部には、図３〜図５に示すように、ハンマー本体２０のコ字状部分における上下面に当接する各鍔部３１ｂが一体に形成されており、これら各鍔部３１ｂには、ハンマー本体２０をその厚み方向に挟み込む複数の挟み片３１ｃが一体に形成されている。これにより、装着部３１は、ハンマー本体２０に装着するときに、各挟み片３１ｃを押し広げながら本体部３１ａをハンマー本体２０の側面に押し付けて密着させると、各挟み片３１ｃがハンマー本体２０の各上下面を乗り越えてハンマー本体２０をその厚み方向に挟み込むことにより、ハンマー本体２０の側面に着脱可能に装着されるように構成されている。
【００３０】
位置規制部３２は、図３〜図５に示すように、装着部３１の本体部３１ａに一体に形成された舌状の係合部３５と、ハンマー本体２０の側面に設けられた係止孔３６とからなっている。係合部３５は、装着部３１の本体部３１ａに舌状のスリットをほぼ水平方向に沿って形成することにより、装着部３１の本体部３１ａに一体に形成されて本体部３１ａの表面に対し垂直方向に弾性変形するように形成されている。この係合部３５には、係止孔３６に係合する突起部３５ａが一体に形成されている。これにより、位置規制部３２は、係合部３５の弾性力によって突起部３５ａが係止孔３６に係脱可能に係合することにより、装着部３１をハンマー本体２０に対して位置規制するように構成されている。
【００３１】
さらに、弾性部３４は、図３および図４に示すように、軸受部３０の前側外周面（図３では右側外周面）に中空部３７を有して形成され、その前側面（図３では右側面）にハンマー本体２０の当接面３３に弾接する弾接突起３８が一体に形成された構成になっている。これにより、弾性部３４は、図３に示すように、装着部３１がハンマー本体２０に装着されたときに、弾性部３４の弾接突起３８がハンマー本体２０の当接面３３に部分的に弾接し、この状態で軸受部３０に対する支持軸２８の挿入方向、つまりハンマー本体２０の長手方向に弾性変形するように構成されている。
【００３２】
このような鍵盤装置では、図１に示すように、通常はハンマー３がハンマー本体２０の錘部２３の重量によってハンマー支持部２２の支持軸２８を中心に反時計回りに付勢され、これによりハンマー本体２０の錘部２３の後端部が下限ストッパ２４に当接してハンマー３が下限位置に規制されている。このときには、ハンマー本体２０のハンマー当接部２６が鍵２のハンマー連結部１７の筒部２７内に移動自在に挿入されて保持された状態で、ハンマー当接部２６が上限に位置することにより、このハンマー当接部２６によって鍵２が押し上げられて上限位置に規制されている。
【００３３】
この状態で、ハンマー本体２０の錘部２３の重量に抗して鍵２を押鍵すると、その鍵２が後端部の鍵支持軸１４を中心に図１において時計回りに回動する。このときには、鍵２が鍵ガイド８によってガイドされるので、鍵２が横振れすることなく、円滑に回動して鍵２のハンマー連結部１７を下方に移動させ、ハンマー連結部１７の筒部２７に挿入されたハンマー本体２０のハンマー当接部２６を押し下げる。
【００３４】
これに伴って、ハンマー当接部２６がハンマー連結部１７の筒部２７内を摺動しながら、ハンマー本体２０がハンマーホルダ２１の軸受部３０に挿入されたハンマー支持部２２の支持軸２８を中心に時計回りに回動する。このときに、鍵２にハンマー本体２０の錘部２３の重量に応じたアクション荷重が付与されるので、アコースティックピアノの鍵タッチ感に近似した鍵タッチ感を得ることができる。なお、離鍵時には、ハンマー本体２０の錘部２３の重量によってハンマー３が反時計回りに回動して初期位置に戻る。
【００３５】
このように、この鍵盤装置によれば、鍵盤シャーシ１に設けられたハンマー支持部２２の支持軸２８を回動自在に保持する軸受部３０と、この軸受部３０が一体に形成されてハンマー本体２０に着脱可能に装着する装着部３１と、ハンマー本体２０の長手方向に沿う側面に係脱可能に係止されて装着部３１を位置規制する位置規制部３２と、ハンマー本体２０の当接面３３に弾接した状態で弾性変形する弾性部３４とで、ハンマーホルダ３を構成したので、ハンマー３が金属製のハンマー本体２０と合成樹脂製のハンマーホルダ２１とで構成され、それぞれ線膨張係数が異なっていても、ハンマー本体２０とハンマーホルダ２１との膨張率の差をハンマーホルダ２１の弾性部３４による弾性変形によって吸収することができる。
【００３６】
すなわち、金属製のハンマー本体２０は、一般に、合成樹脂製のハンマーホルダ２１よりも線膨張係数が大きいため、例えば周囲の温度が低いと、ハンマー本体２０がハンマーホルダ２１よりも大きく収縮するが、このときにハンマーホルダ２１の弾性部３４の弾性圧縮変形によってハンマーホルダ２１に加わるストレスを吸収することができる。また、周囲の温度が高いと、ハンマー本体２０がハンマーホルダ２１よりも大きく膨張するが、このときにもハンマーホルダ２１の弾性部３４の弾性復帰変形によって、ハンマーホルダ２１とハンマー本体２０との間に隙間が生じるのを防ぐことができる。これにより、ハンマーホルダ２１とハンマー本体２０とのガタツキや異音の発生を防ぐことができ、良好に演奏することができる。
【００３７】
この場合、弾性部３４は、軸受部３０に中空部３７を有して一体に形成され、その外周面にハンマー本体２０の当接面３３に弾接する弾接突起３８が形成されているので、ハンマー本体２０とハンマーホルダ２１との膨張率の差を中空部３７が形成された弾性部３４の弾性変形によって確実に吸収することができると共に、ハンマー本体２０とハンマーホルダ２１とに膨張率の差が生じても、弾性部３４の弾接突起３８がハンマー本体２０の当接面３３に部分的に弾接しているので、弾性部３４がハンマー本体２０の当接面３３に面接触する場合よりも、ハンマー本体２０とハンマーホルダ２１とのガタツキや異音の発生を防ぐことができ、これにより良好に演奏することができる。
【００３８】
また、位置規制部３２が、装着部３１に弾性変形可能に形成された舌状の係合部３５と、ハンマー本体２０に設けられた係止孔３６とを有し、係合部３５の突起部３５ａが係止孔３６に係脱可能に弾力的に係合し、これにより装着部３１をハンマー本体２０に対し位置規制するので、ハンマー本体２０の回動方向に対し直交する方向におけるハンマーホルダ２１とハンマー本体２０とのガタツキ、およびハンマー本体２０の長手方向に沿う方向におけるハンマーホルダ２１とハンマー本体２０とのガタツキを防ぐことができ、これによっても良好に演奏することができる。
【００３９】
さらに、この鍵盤装置では、鍵２のハンマー連結部１７の筒部２７にハンマー本体２０のハンマー当接部２６を挿入させて鍵２とハンマー３とを連結するために、ハンマー当接部２６がほぼ球状に形成され、その表面にグリスを溜めるためのディンプル状の凹部２６ａが多数設けられ、且つハンマー連結部１７の筒部２６が前後方向にほぼ水平に形成され、その内面の断面形状がハンマー当接部２６の断面形状と同じ円形の円筒状に形成されているので、押鍵時にハンマー当接部２６をハンマー連結部１７の筒部２７内で滑らかに摺動させることができ、これによっても良好に演奏することができる。
【００４０】
なお、上記実施形態では、位置規制部３２の係合部３５が、ハンマーホルダ２１の装着部３１の本体部３１ａに舌状のスリットをほぼ水平方向に沿って形成することにより、装着部３１の本体部３１ａに一体に形成されて本体部３１ａの表面に対し垂直方向に弾性変形するように形成した場合について述べたが、これに限らず、例えば図６に示すように、装着部３１の本体部３１ａに舌状のスリットをほぼ上下方向に沿って形成することにより、位置規制部３２の係合部４０を装着部３１の本体部３１ａに一体に形成して本体部３１ａの表面に対し垂直方向に弾性変形するように形成しても良い。
【００４１】
この場合にも、ハンマー本体２０の側面に係止孔３６を形成し、この係止孔３６に係合部４０の一部を係脱可能に係合させて装着部３１をハンマー本体２０に対し位置規制するように構成しても良く、また必ずしもハンマー本体２０の側面に係止孔３６を形成する必要はなく、係合部４０をハンマー本体２０の側面に直接弾接させて装着部３１をハンマー本体２０に対し位置規制するように構成しても良い。このようないずれの構造でも、上述した実施形態と同様、装着部３１の係合部４０によってハンマーホルダ２１をハンマー本体２０に対し位置規制することができる。
【００４２】
また、上記実施形態では、ハンマーホルダ２１の軸受部３０に形成された弾性部３４がその外周面に弾接突起３８を形成した構成であるが、これに限らず、例えば図７（ａ）および図７（ｂ）に示すように、弾性部３４にハンマー本体２０の当接面３３の両側、つまりハンマー本体２０をその厚み方向に挟む一対の挟持突起４１を一体に形成した構成でも良い。
【００４３】
このように構成すれば、装着部３１をハンマー本体２０に装着して弾性部３４の弾接突起３８をハンマー本体２０の当接面３３に当接させたときに、弾性部３４の一対の挟持突起４１がハンマー本体２０の当接面３３の両側を挟み付けるので、上述した実施形態と同様の効果があるほか、特にハンマーホルダ２１の弾性部３４によってハンマー本体２０が横振れしやすくても、弾性部３４に形成された一対の挟持突起４１によってハンマーホルダ２１の弾性部３４におけるハンマー本体２０の横振れに対するガタツキをも防ぐことができる。
【図面の簡単な説明】
【００４４】
【図１】この発明を適用した鍵盤装置の断面図である。
【図２】図１の鍵とハンマーとの連結部分を左側から見た拡大正面図である。
【図３】図１のハンマーを示した拡大図である。
【図４】図３のＡ−Ａ矢視における拡大断面図である。
【図５】図３のハンマーホルダにおける装着部の要部を示した拡大斜視図である。
【図６】図３のハンマーホルダにおける位置規制部の変形例を示した要部の拡大斜視図である。
【図７】図３のハンマーホルダにおける弾性部の変形例を示し、（ａ）はその要部を拡大して示した側面図、（ｂ）はそのＢ−Ｂ矢視における拡大断面図である。
【符号の説明】
【００４５】
１  鍵盤シャーシ
２  鍵
３  ハンマー
１３  鍵支持部
１７  ハンマー連結部
２０  ハンマー本体
２１  ハンマーホルダ
２２  ハンマー支持部
２３  錘部
２６  ハンマー当接部
２７  筒部
２８  支持軸
３０  軸受部
３１  装着部
３２  位置規制部
３４  弾性部
３５、４０  係合部
３６  係止孔
３７  中空部
３８  弾接突起
４１  挟持突起
【図１】
2006003495.tif 000003
【図２】
2006003495.tif 000004
【図３】
2006003495.tif 000005
【図４】
2006003495.tif 000006
【図５】
2006003495.tif 000007
【図６】
2006003495.tif 000008
【図７】
2006003495.tif 000009